(57)【要約】【課題】床鳴りの抑制と、施工性および解体性の向上とを実現することのできる乾式床構造を提供する。【解決手段】乾式床構造は、水平方向に延在する上面（２１ａ）を有する床下地部材（１２）と、床下地部材の上面に重ねられ、水平方向に延在する下面（１３ｂ）を有する床板部材（１５）と、床下地部材（１２）と床板部材（１５）との相対ずれに伴う擦れ音を抑制するために、床下地部材（１２）と床板部材（１５）とが面接触している領域の中で局所的な荷重を受け易い箇所に配置されるシート材（１６）とを備える。シート材（１６）は、床下地部材（１２）の上面（２１ａ）に固着する粘着層と、床板部材（１５）の下面（１３ｂ）に面接触する非粘着層とを含む。【選択図】図１
2018003341.tif 000002
【特許請求の範囲】
【請求項１】
水平方向に延在する上面を有する床下地部材と、
前記床下地部材の前記上面に重ねられ、水平方向に延在する下面を有する床板部材と、
前記床下地部材と前記床板部材との相対ずれに伴う擦れ音を抑制するために、前記床下地部材と前記床板部材とが面接触している領域の中で局所的な荷重を受け易い箇所に配置されるシート材とを備え、
前記シート材は、前記床下地部材の前記上面に固着する粘着層と、前記床板部材の前記下面に面接触する非粘着層とを含む、乾式床構造。
【請求項２】
前記床下地部材は、前記上面を構成する凸部と凹部とが繰り返し設けられたデッキプレートであり、
前記床板部材は、前記下面を構成する石膏ボードを含み、
前記シート材は、前記デッキプレートの前記凸部ごとに設けられる、請求項１に記載の乾式床構造。
【請求項３】
前記シート材は、前記凸部の延在方向に沿って貼り付けられる粘着テープである、請求項２に記載の乾式床構造。
【請求項４】
前記非粘着層の表面と前記床板部材の下面との摩擦力は、前記床下地部材の上面と前記床板部材の下面との摩擦力よりも小さい、請求項１〜３のいずれかに記載の乾式床構造。
【請求項５】
前記床下地部材と前記床板部材とは、複数のビスにより締結されており、
前記シート材は、前記床下地部材の前記上面のうち、前記ビスが貫通する箇所に貼り付けられる、請求項１〜４のいずれかに記載の乾式床構造。
【発明の詳細な説明】
【技術分野】
【０００１】
本発明は、乾式床構造であって、特に、金属製の床下地部材を備えた乾式床構造に関する。
【背景技術】
【０００２】
床下地部材と床板部材とがビスにより固定された乾式床における床鳴りを防止するために、従来から様々な技術が提案されている。
【０００３】
たとえば特開２０１４−２３１７３１号公報（特許文献１）では、床下地板と床仕上面材との間に石膏系面材が配置された二重床構造体において、石膏系面材の下面の緻密化による留め螺子の頭部の頂面または上方突出領域との擦れ音を抑制するために、床下地板と石膏系面材との間に、傾斜した留め螺子の頭部の頂面または上方突出領域の出っ張りを吸収する柔軟なシート状物を介挿する構成が開示されている。
【先行技術文献】
【特許文献】
【０００４】
【特許文献１】特開２０１４−２３１７３１号公報
【発明の概要】
【発明が解決しようとする課題】
【０００５】
事務所系の建物などにおいて、地盤との関係で躯体重量を下げたい場合や、コンクリートが使えない場合に、地上階よりも上の階の床は乾式化されることが多い。乾式床の仕様は複数存在するが、仕様に関わらず乾式床における床鳴り現象が問題となっている。
【０００６】
繰り返し凹凸を有するデッキプレートを床下地部材として用いた乾式床は、軽くて剛性があるため有用である。デッキプレートを用いた乾式床においては、床仕上面材および石膏ボードを含む床板部材とデッキプレートとが、ビスにより締結される。通常、ビスは床仕上面材の上面（床面）側からねじ込まれるため、デッキプレートを用いた乾式床においては、特許文献１に記載されているような、ビス頭の頂面が石膏ボード下面に食い込むことによる擦れ音は発生しない。そのため、デッキプレートのような金属製の床下地部材と床板部材とが、床面側からねじ込まれるビスにより固定される仕様の乾式床においては、別の要因によって床鳴りが発生していると考えられる。
【０００７】
ところで、床下地部材と床板部材とを接着剤で完全に固着することで、乾式床における床鳴りを抑制するという対策も従来から公知であるが、接着剤を用いる場合、乾式床の施工および解体が困難であるという問題がある。
【０００８】
本発明は、上記のような課題を解決するためになされたものであって、その目的は、床鳴りの抑制と、施工性および解体性の向上とを実現することのできる乾式床構造を提供することである。
【課題を解決するための手段】
【０００９】
この発明のある局面に従う乾式床構造は、水平方向に延在する上面を有する床下地部材と、床下地部材の上面に重ねられ、水平方向に延在する下面を有する床板部材と、床下地部材と床板部材との相対ずれに伴う擦れ音を抑制するために、床下地部材と床板部材とが面接触している領域の中で局所的な荷重を受け易い箇所に配置されるシート材とを備える。シート材は、床下地部材の上面に固着する粘着層と、床板部材の下面に面接触する非粘着層とを含む。
【００１０】
好ましくは、床下地部材は、上面を構成する凸部と凹部とが繰り返し設けられたデッキプレートであり、床板部材は、下面を構成する石膏ボードを含む。この場合、シート材は、デッキプレートの凸部ごとに設けられることが望ましい。
【００１１】
好ましくは、シート材は、凸部の延在方向に沿って貼り付けられる粘着テープである。
【００１２】
非粘着層の表面と床板部材の下面との摩擦力は、床下地部材の上面と床板部材の下面との摩擦力よりも小さいことが望ましい。
【００１３】
床下地部材と床板部材とが、複数のビスにより締結される形態において、シート材は、床下地部材の上面のうち、ビスが貫通する箇所に貼り付けられることが望ましい。
【発明の効果】
【００１４】
本発明によれば、床鳴りの抑制と、施工性および解体性の向上とを実現することができる。
【図面の簡単な説明】
【００１５】
【図１】本発明の実施の形態に係る乾式床構造を模式的に示す断面図である。
【図２】本発明の実施の形態に係る乾式床構造を模式的に示す斜視図である。
【図３】本発明の実施の形態におけるシート材の構成を模式的に示す断面図である。
【図４】本発明の実施の形態において、床下地部材と床板部材との相対ずれを概念的に示す断面図である。
【図５】本発明の実施の形態の変形例において、床下地部材と床板部材との相対ずれを概念的に示す断面図である。
【図６】本発明の実施の形態において、シート材の他の配置例を模式的に示す図である。
【図７】シート材が適用され得る他の乾式床構造を模式的に示す断面図である。
【発明を実施するための形態】
【００１６】
本発明の実施の形態について図面を参照しながら詳細に説明する。なお、図中同一または相当部分には同一符号を付してその説明は繰返さない。
【００１７】
図１を参照して、本実施の形態に係る乾式床１は、デッキプレート１２と、石膏ボード１３と、床仕上面材１４とを含む。デッキプレート１２は、金属製の床下地部材であり、建物の躯体を構成する梁１１に固定される。デッキプレート１２は、凸部２１と凹部２２とを繰り返し有している。凸部２１および凹部２２は、同一方向に延在している。凸部２１の天面２１ａは、デッキプレート１２の上面を構成し、水平方向に延在する。以下の説明において、凸部２１の天面２１ａをデッキプレート１２の上面２１ａともいう。また、凸部２１と凹部２２とが隣り合う方向、すなわち凸部２１および凹部２２の延在方向と交差する方向を横方向という。図１および図２には、乾式床１の横方向が矢印Ａ１で示されている。
【００１８】
石膏ボード１３は、水平方向に延在し、デッキプレート１２の凸部２１上に載置される。石膏ボード１３は、石膏を芯材とし両面をボード用原紙で被覆成型した板状部材である。つまり、石膏ボード１３の上面１３ａおよび下面１３ｂの材質は紙である。
【００１９】
床仕上面材１４もまた、水平方向に延在し、石膏ボード１３の上面１３ａに重ねられる板状部材である。床仕上面材１４の材質は、たとえば木材である。
【００２０】
石膏ボード１３および床仕上面材１４は、デッキプレート１２の上面２１ａに重ねられる床板部材１５を構成する。床板部材１５の上面は、建物の室内空間に面する床面であり、床仕上面材１４の上面１４ａにより構成される。以下の説明において、床仕上面材１４の上面１４ａを床面１４ａともいう。床板部材１５の下面は、石膏ボード１３の下面１３ｂにより構成される。
【００２１】
床仕上面材１４、石膏ボード１３、およびデッキプレート１２は、床面１４ａ側からねじ込まれるビス３により締結される。石膏ボード１３はねじが効かない部材であるため、石膏ボード１３を間に挟んだ状態で床仕上面材１４とデッキプレート１２とがビス３によりしっかりと締結されることで、これら三層が固定される。
【００２２】
ところで、施工時においてビス３をねじ込む際に、ビス３の先端が金属製のデッキプレート１２に突き当たった時点でビス３が空回りするため、床仕上面材１４の浮き上がりが生じ易い。床仕上面材１４の浮き上がりを防止するために、リーマ付きのねじをビス３に採用することもあるが、このような場合においても、床仕上面材１４におけるビス３の貫通部分に隙間（ビス３の遊び）が生じてしまう。そのため、ビス３によるデッキプレート１２と床仕上面材１４との引き付け力（締結力）には限界がある。
【００２３】
したがって、人の歩行等により床面１４ａへの踏圧が加えられた場合、床仕上面材１４および石膏ボード１３の双方が下方に撓むため、三層間（デッキプレート１２と石膏ボード１３との間、石膏ボード１３と床仕上面材１４との間）に相対ずれが発生する。
【００２４】
ここで、公知の乾式床においては、デッキプレート１２と石膏ボード１３との間で金属の面（上面２１ａ）と紙の面（下面１３ｂ）とが擦れる。そのため、公知の乾式床においては、デッキプレート１２と石膏ボード１３との相対ずれに伴い擦れ音が発生していたと考えられる。特に、床仕上面材１４および石膏ボード１３が下方に撓むと、ビス３の締結箇所に局所的に荷重が掛かる。そのため、ビス３の締結箇所におけるデッキプレート１２と石膏ボード１３との擦れ音が、床鳴りの大きな要因となっていると考えられる。
【００２５】
このような知見に基づき、本実施の形態では、ビス３が貫通するデッキプレート１２の凸部２１にシート材１６を設けることとした。つまり、乾式床１の固定状態においては、上述の三層を締結するためのビス３は、シート材１６を貫通する構成である。
【００２６】
図３に示されるように、シート材１６は、粘着層４１と非粘着層４２との二層構造である。粘着層４１は、シート材１６の裏面側に形成され、デッキプレート１２の上面２１ａに固着する。非粘着層４２は、シート材１６の表面側に形成され、石膏ボード１３の下面１３ｂに面接触する。シート材１６の厚みは、たとえば０．５ｍｍ〜１．０ｍｍである。なお、図３等では、シート材１６の厚みを誇張して記載している。
【００２７】
シート材１６は、典型的には、図２に示されるようにデッキプレート１２の凸部２１の延在方向に沿って貼り付けられる片面の粘着テープである。シート材１６は、ビス３で固定する前に、デッキプレート１２の凸部２１の天面２１ａに予め貼り付けられる。シート材１６の幅寸法は、凸部２１の天面２１ａの幅寸法よりも小さくてもよい。
【００２８】
シート材１６の非粘着層４２は、アルミなどの金属系以外の材料で形成されており、たとえば、ガラス繊維または不織布により形成されている。この場合、互いに面接触する非粘着層４２の表面４２ａ（すなわちシート材１６の表面）と石膏ボード１３の下面１３ｂとの摩擦力は、シート材１６を介在させない場合において互いに面接触するデッキプレート１２の上面２１ａと石膏ボード１３の下面１３ｂとの摩擦力よりも小さい。
【００２９】
このようなシート材１６をデッキプレート１２の上面２１ａに固着するだけで、乾式床１の床鳴りが抑制される。このことについて、図４を参照して具体的に説明する。図４は、図１において破線で囲まれた部分の拡大図に相当するが、図４では、ビス３の図示が省略されている。
【００３０】
床面１４ａの上からの踏圧により床板部材１５が下方へ撓み、図４の概念図に示すようにデッキプレート１２と石膏ボード１３とが横方向に相対的にずれた場合に、シート材１６の表面上を石膏ボード１３が滑る。これにより、シート材１６と石膏ボード１３との摩擦による擦れ音が抑制される。なお、図４では、理解を容易にするために、相対ずれの前に石膏ボード１３の下面１３ｂに面接触していたシート材１６の位置が、太破線で示されている。
【００３１】
上述のように、本実施の形態では、デッキプレート１２と石膏ボード１３とを接着剤で固着して両者の相対ずれを防止するのではなく、両者の相対ずれをあえて許容する。その上で、擦れ音が比較的大きくなる箇所、すなわち局所的な荷重が加わるビス３の締結箇所に、シート材１６を設けるという簡単な構成で、乾式床１の床鳴りを効果的に抑制することができる。
【００３２】
また、本実施の形態では、テープ状のシート材１６をデッキプレート１２の上面２１ａに貼り付けるだけでよいため、接着剤をデッキプレート１２の上面２１ａに塗布する場合に比べて施工性が向上される。また、シート材１６はデッキプレート１２にのみ固着し、石膏ボード１３には固着しないため、乾式床１の解体を容易に行うこともできる。したがって、乾式床１の構造は、たとえば仮設住宅や期間限定の施設等にも適しており、汎用性が高い。
【００３３】
また、本実施の形態では、シート材１６が、デッキプレート１２の凸部２１ごとに、凸部２１の延在方向に沿って一続きに貼り付けられる。そのため、デッキプレート１２におけるビス３の貫通箇所、すなわちビス３のピッチが予め定まっていない場合であっても、確実にビス３の貫通箇所にシート材１６を介在させることができる。
【００３４】
なお、シート材１６は、表面側（上面側）に非粘着層４２を有し、裏面側（下面側）に粘着層４１を有していれば、これらの層４１，４２間に他の層が介在されていてもよい。
【００３５】
（変形例）
本実施の形態では、シート材１６と石膏ボード１３との接触面の摩擦力を極力小さくすることで、これらを滑り易くすることとした。しかしながら、一定のずれ範囲内においてのみ、石膏ボード１３のずれにシート材を追従させる構成としてもよい。
【００３６】
図５には、本実施の形態の変形例において、デッキプレート１２と石膏ボード１３（床板部材１５）との相対ずれが生じた場合におけるシート材１６Ａの役割が概念的に示されている。なお、図５においても、ビス３の図示が省略されている。
【００３７】
図５に示されるように、デッキプレート１２と石膏ボード１３との横方向の相対ずれが所定範囲内である場合には、シート材１６Ａが幅方向（横方向）に若干変形することにより、シート材１６Ａの上面と石膏ボード１３の下面１３ｂとの間に擦れが生じていない。
【００３８】
デッキプレート１２と石膏ボード１３との相対ずれは、実際には微小なずれである。そのため、一定のずれ範囲内においてシート材１６Ａをその厚みにより石膏ボード１３の横ずれに追従させることで、相対ずれの発生開始時には、デッキプレート１２と石膏ボード１３とが接着剤で固着されているのと同様の効果を得ることができる。
【００３９】
本変形例においては、シート材１６Ａの非粘着層４２の材質は、柔軟性を有していることが望ましく、たとえばゴムなどの弾性材であってもよい。また、シート材１６Ａの非粘着層４２の表面４２ａと石膏ボード１３の下面１３ｂとの摩擦力は、シート材１６Ａを介在させない場合において互いに面接触するデッキプレート１２の上面２１ａと石膏ボード１３の下面１３ｂとの摩擦力よりも大きくてもよい。また、シート材１６Ａの非粘着層４２の表面４２ａは、滑らかな面ではなく凹凸を有していてもよい。なお、上述のシート材１６の表面４２ａも、滑らかな面ではなく凹凸を有していてもよい。
【００４０】
デッキプレート１２と石膏ボード１３との相対ずれ量が一定のずれ範囲を超えた場合には、石膏ボード１３へのシート材１６Ａの追従は解除される。そのため、シート材１６Ａの非粘着層４２の材質および／または表面粗さは、石膏ボード１３のずれにある程度追従可能としつつ、紙材との擦れ音を極力小さくできる材質および／または表面粗さであることが望ましい。面同士のずれに伴う擦れ音は、ずれが生じ始める瞬間に発生することが多いと考えられる。そのため、たとえ、シート材１６Ａの表面４２ａと石膏ボード１３の下面１３ｂとが擦れた際に擦れ音が発生してしまう場合であっても、相対ずれ量が小さい場合には、シート材１６Ａの追従により擦れ音が発生しないため、床鳴りの発生頻度を低下させることもできる。
【００４１】
なお、追従が解除された場合における両者の擦れ音を小さくするためには、上記実施の形態で説明したように、シート材１６Ａの非粘着層４２の表面４２ａと石膏ボード１３の下面１３ｂとの摩擦力が、シート材１６Ａを介在させない場合において互いに面接触するデッキプレート１２の上面２１ａと石膏ボード１３の下面１３ｂとの摩擦力よりも小さくてもよい。
【００４２】
（他の変形例）
本実施の形態では、シート材１６は、デッキプレート１２の凸部２１の延在方向に沿って貼り付けられることとしたが、ビス３の貫通箇所にのみ貼り付けられてもよい。つまり、複数のシート材１６が、デッキプレート１２の凸部２１の延在方向に沿って互いに間隔をあけて貼り付けられていてもよい。この場合、図６に示すシート材１６Ｂのように、シート材は所定の大きさの粘着シールであってもよい。
【００４３】
また、本実施の形態では、床下地部材が繰り返し凹凸を有するデッキプレート１２であることとしたが、限定的ではない。床下地部材は、凹凸を有さないフラットなプレートであってもよい。このような場合であっても、石膏ボード１３とフラットなプレートとが面接触している領域の中で、ビス３の締結箇所にのみシート材１６を配置するだけでよい。したがって、乾式床１の施工および解体を容易に行うことができる。
【００４４】
また、本実施の形態では、デッキプレート１２と石膏ボード１３との接触面にのみシート材１６を配置することとしたが、石膏ボード１３と床仕上面材１４との接触面にもシート材１６を配置してもよい。この場合においても、石膏ボード１３と床仕上面材１４とが面接触している全領域のうちビス３が貫通する部分にだけシート材１６が設けられていればよい。
【００４５】
また、上記実施の形態では、床板部材が石膏ボード１３と床仕上面材１４とにより構成されることとしたが、床板部材は他の面材を含んでいてもよい。また、デッキプレート１２の上に載置される硬質面材は、石膏ボード１３以外の面材であってもよい。
【００４６】
また、床下地部材は、金属製のプレートに限定されず、金属製の根太のような支持部材であってもよい。この場合、図７に示されるように、乾式床１Ａは、たとえば、複数の鋼製根太５１と、鋼製根太５１上に載置される面材５２と、面材５２上に重ねられる石膏ボード１３と、石膏ボード１３上に重ねられる床仕上面材１４とを備える。乾式床１Ａにおいては、鋼製根太５１と面材５２とがビス３により固定（締結）され、床仕上面材１４、石膏ボード１３、および面材５２が、床面側からねじ込まれるビス３により固定（締結）されている。この場合、鋼製根太５１が床下地部材であり、他の三層の面材が床板部材５３を構成するとみなしてよい。
【００４７】
このような構成においても、局所的な荷重を受け易い鋼製根太５１と面材５２との間にシート材１６を配置することで、床鳴りを抑制することができる。なお、図７において想像線で示すように、たとえば、面材５２と石膏ボード１３との接触面のうちビス３が貫通する箇所にも、シート材１６を配置してもよい。
【００４８】
なお、以上の説明では、床下地部材と床板部材とが面接触している領域の中で局所的な荷重を受け易い箇所、すなわち、床面に加わる踏圧等により床板部材が下方に撓んだ際に局所的に荷重を受ける箇所は、ビス３の締結箇所に相当することとした。しかしながら、床下地部材を構成する面材の継ぎ目（角）にも局所的な荷重が掛かり得ることから、局所的な荷重を受け易い箇所は、面材の継ぎ目であってもよい。つまり、シート材は、面材の継ぎ目に配置されてもよい。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５０】
１，１Ａ  乾式床、３  ビス、１１  梁、１２  デッキプレート、１３  石膏ボード、１４  床仕上面材、１５，５３  床板部材、１６，１６Ａ，１６Ｂ  シート材、２１  凸部、２２  凹部、４１  粘着層、４２  非粘着層、５１  鋼製根太、５２  面材。
【図１】
2018003341.tif 000003
【図２】
2018003341.tif 000004
【図３】
2018003341.tif 000005
【図４】
2018003341.tif 000006
【図５】
2018003341.tif 000007
【図６】
2018003341.tif 000008
【図７】
2018003341.tif 000009